(57)【要約】【課題】応援時に、応援用具を振るとその遠心力によって、巻紙が棒状に伸びるようにすると供に、該遠心力によって音を発生させ、応援効果を向上させることを課題とする。【解決手段】棒状又は円錐形状の本体部の先端に開閉可能に固着された蓋を備え、手に持って振って使用する用具であって、帯状の紙を巻いた伸縮部及び前記伸縮部を固着する軸を本体部内に本体部と同軸に有し、前記蓋の内側には遠心力によって音を発生する音発生部を有する。【選択図】図１
0003105905.tif 000002
【実用新案登録請求の範囲】
【請求項１】
棒状又は円錐形状の本体部の先端に開閉可能に固着された蓋を備え、手に持って振って使用する用具であって、帯状の紙を巻いた伸縮部及び前記伸縮部を固着する軸を本体部内に本体部と同軸に有し、前記蓋の内側には遠心力によって音を発生する音発生部を有し、前記蓋を開放して前記用具を振ることによって、前記伸縮部は伸びると共に、遠心力によって前記音発生部が音を発生することを特徴とした応援用具。
【請求項２】
請求項１において、前記応援用具は、先端が太く後瑞近くが細い棒状であって、野球のバット形状に形成したことを特徴とした応援用具。
【考案の詳細な説明】
【技術分野】
【０００１】
本考案は、応援用具に関するものである。
【背景技術】
【０００２】
従来、実開昭５８−４３４９７号公報にあるように、適宜の形状に成型した頭部を有する円筒状筒体の内周面に幅広の紙巻テープの外側端を固着し、該紙巻テープの内側端には、棒状把手を固着し、該紙巻きテープが前記筒体と棒状把手との間を伸縮する如く、紙巻テープの中心部に貫通する弾性糸を筒体と把手との間に介在せしめてなる振り出し玩具があった。
【０００３】
このように玩具の先端部分に、キャラクターを配設した玩具は従来あったが、振り出し時と同時に音が鳴る用具は無く、このような商品が求められていた。また、応援用具などの場合、メガホンなどを利用した音の出る応援用具が従来あるが、このように、音を伴うことによって応援効果を高めることもできるものである。
【特許文献１】実開昭５８−４３４９７号
【考案の開示】
【考案が解決しようとする課題】
【０００４】
そこで、本考案は、上記従来技術の問題点に斯かる実情に鑑みなされたもので、応援時に、応援用具を振るとその遠心力によって、巻紙が棒状に伸びるようにすると供に、該遠心力によって音を発生させ、応援効果を向上させることを課題とする。
【課題を解決するための手段】
【０００５】
本考案は、棒状又は円錐形状の本体部の先端に開閉可能に固着された蓋を備え、手に持って振って使用する用具であって、帯状の紙を巻いた伸縮部及び前記伸縮部を固着する軸を本体部内に本体部と同軸に有し、前記蓋の内側には遠心力によって音を発生する音発生部を有し、前記蓋を開放して前記用具を振ることによって、前記伸縮部は伸びると共に、遠心力によって前記音発生部が音を発生することを特徴とする。
【０００６】
本考案は、請求項１において、前記応援用具は、先端が太く後瑞近くが細い棒状であって、野球のバット形状に形成したことを特徴とする。
【考案の効果】
【０００７】
請求項１の考案によれば、用具を振るとその遠心力によって、巻紙が棒状に伸びるようにすると供に、該遠心力によって音を発生させ、応援効果を向上させることできる。また、蓋が用具に固着されている為に、蓋を無くすこともない。また、音発生部を蓋の内側に設け、該蓋を開放し使用する際に、直接音発生部外側に露出することによって、把持部などに格納した場合に比べ、音発生部から発生した音を玩具内部で籠もらせることも無く音を大きく発生させることができる。
【０００８】
請求項２の考案によれば、用具の形状が野球のバットの形状で形成されていると、野球観戦時などで、応援効果を向上させることができる。
【考案を実施するための最良の形態】
【０００９】
棒状又は円錐形状の本体部の先端に開閉可能に固着された蓋を備え、手に持って振って使用する用具であって、帯状の紙を巻いた伸縮部及び前記伸縮部を固着する軸を本体部内に本体部と同軸に有し、前記蓋の内側には遠心力によって音を発生する音発生部を有し、を設けて構成した応援用具で、前記応援用具の形状を先端が太く後瑞近くが細い棒状であって、野球のバット形状に形成し、が設けられている。
【実施例１】
【００１０】
図１〜３を用いて応援用具の外形と構造を説明する。図１は、実施の例の一例である応援用具１０の外形を示す図である。また、図２は、実施の例の一例である応援用具１０の分解斜視図面である。図３は、実施の例の一例である応援用具を中央から切断した断面を表す図である。
【００１１】
本実施の例の応援用具は、先端が太く後瑞近くが細い棒状形状で、野球のバット形状を模して形成し、概野球のバットをバットの長さを短く形成した形状をしている。応援用具１０の外側の材質は、樹脂で形成されている。応援用具は、該バット形状の先端の一番太い部分からテーパー状になっている部分まで打球部１１で、バット中ほどの細く形成された部分が把持部１２で、該バット形状の端の少し太く形成されている部分がグリップエンド部１３と構成されている。該バット先端の打球部１１には、開口部１１Ａが設けられ該開口部１１Ａ内に伸縮部２０が設けられている。該把持部１２とグリップエンド部１３は長手方向に分割可能に設けられており、打球部１１と分割可能なように構成されている。
【００１２】
応援用具の形状及び素材は、この他に、拡声器のメガホンなどの形状にしても構わないし、材質は、木などの木工部材を用いても構わない。応援用具が野球のバットで形成されていた場合では、その外周面に、応援する球団のシールなどを貼り付けたり、用具自体の色も応援する球団カラーを使用すると、応援効果が向上するようになっている。また実施の例では、把持部１２外周面に熱収縮チューブを用い用具作成時に、熱収縮チューブに熱を加え、把持部１２外周面に密着するようになっており、該熱収縮チューブの部分が、あたかも、該用具のグリップとなるように形成されている。
【００１３】
応援用具１０の打球部１１の先端外周には、ヒンジ１４が設けられている。また、該ヒンジ１４によって回動自在に軸止され、該開口部１１Ａを塞ぐ蓋１５が設けられている。応援用具を使用する際には、蓋１５を開放してから使用し、使用が終わった際には蓋１５を閉めるとこができる。従来の製品などでは、蓋１５は着脱可能に設けられていた為に、蓋１５自体を無くすことがあったが、実施の例の製品では、着脱可能には設けられてはいない為に、蓋１５を無くすことはないようになっている。また、蓋１５自体の効果として、不使用時や、搬送時などで、用具を逆さまなどにした場合、巻紙２２がその自重によって伸びるのを抑制することができるようになる。
【００１４】
また、該蓋１５の内側には、音発生部３０を固着させる為のリブ１５Ａが設けられている。該リブ１５Ａは、円柱形に設けられた音発生部３０を固着させるように、半円形の凹部が設けられている。音発生部カバー１６は、蓋１５に係止するように円盤形で、音発生部３０を蓋１５に固着させる為の半円柱形の凹部が設けられている。該半円柱形の半円面は、開口して設けられ、音発生部３０から発生した音が籠もらないように設けられている。音発生部３０は、該蓋１５の内側のリブ１５Ａと音発生部カバー１６によって固着されるように設けられている。
【００１５】
また、打球部１１の開口部１１Ａ外周先端は、図３（Ａ）に示すようにＳ字型のフック形状に設けられており、また、対応する蓋１５の内側先端は、同様にＳ字型のフック形状となっており、該蓋１５を閉じた際に、Ｓ字フック同士でしっかりと嵌合するため、応援用具自体を逆さまにした際にも、容易に蓋１５が開放しないように設けられている。
【００１６】
また、ヒンジ１４には、外周面に凸部１４Ａが設けられている。該凸部１４Ａは、応援用具１０を手に持って使用している際に、容易に蓋１５が閉まらないよう作用を行うようになっている。図４（Ａ）〜（Ｃ）に示すように、蓋１５の開放を詳細に説明する。図４（Ａ）は、蓋１５が、閉まっている状態である。この状態から蓋１５を開放させるように蓋１５をヒンジ１４の軸を中心に回転させると、ヒンジ１４の外周に設けられた凸部１４Ａも同時に回転を行うようになっている。回転を続けると、図４（Ｂ）の状態になる。図４（Ｂ）は、蓋１５を１８０度開放した状態を示す図である。蓋１５を１８０度回転させると、ヒンジ１４に設けられた凸部１４Ａは、打球部１１の外周面を接触する。その後、図４（Ｃ）のように、蓋１５を１８０度開放した状態からさらに回転させると、ヒンジ１４に設けられた凸部１４Ａが、打球部１１の開放部１１Ａの外周先端に係止させるよう設けられており、応援用具１０を振って使用する際に、蓋１５が閉まり難くなるようになっている。
【００１７】
伸縮部２０は、方形の紙を軸２１に４０〜５０巻きした巻紙２２であり、その紙質は、巻いた紙同士の摩擦が極力減る様に摩擦の少ない紙を使用している。具体的な紙の材質としてパラフィン紙や、合成樹脂を塗布した紙を用いることが望ましい。該巻紙２２は、応援用具の打球部１１内の中心に設けられた軸２１に巻かれている。
【００１８】
巻紙２２が巻紙自体の自重の遠心力によって伸長するときに巻紙２２の内側部分と外側部分が軸方向にずれて巻紙２２が螺旋状になり中空の逆台形又はタケノコバネが伸びたような棒に形成される。遠心力によって伸びた巻紙２２は、巻き数や、紙の素材等にも影響するが、５倍程度の長さ伸びるようになっている。巻紙２２に係る遠心力が無くなることによって、巻紙２２がタケノコバネと同様にその復元力によって、再び元の巻紙２２状態となるようになっている。
【００１９】
また、軸２１の端部には、打球部１１に取付ける為の２つの凸部２１Ａが設けられ、該凸部２１Ａの軸には、ネジ孔が設けられている。また、打球部１１には、該凸部２１Ａを挿入させる為の孔１１Ｂが設けられており、さらに、伸縮部２０を打球部１１に固着させる為に円板状に設けられた固着板２３には、該凸部２１Ａに対応した孔２３Ａが２つ設けられている。該凸部２１Ａの凸部を該孔１１Ｂに挿入し、孔２３Ａからネジによってネジ止めすることによって、伸縮部２０は、打球部１１に固着されるようになっている。
【００２０】
音発生部３０の説明を行う。音発生部３０の構造は、円筒形で内部を中空に設けられており、上端面と下端面には、音が抜けるように複数の孔が設けられている。音発生部３０の内部に圧縮バネ３２と、笛３１が設けられている。笛３１は、円筒形に設けられ、笛３１自体の重さを増す為に、笛を構成する外周部を金属によって形成するように設けられている。笛３１は、該音発生部３０の内部長手方向を滑動自在に設けれ、笛３１の外径と、音発生部３０内径の隙間は殆ど無い状態になっている。また、笛３１の中心には、直径２ｍｍ程度の小さな孔３１ａが設けられている。
【００２１】
音の発生する仕組みとして、笛３１中央に設けられた孔３１Ａに圧縮された空気３３を送り込むと、小さな孔３１Ａによって空気の渦（カルマン渦）が発生し空気が振動するようになる。この空気の振動により、笛３１が固有振動に共鳴して、音が発生するようになっている。実施の例の笛の音は、「ピィーピィー」といった音が発生するようになっている。
【００２２】
別の実施の例として、該笛３１の中央部分に弁を設けて構成し、該弁に圧縮された空気３３を送り込むと、圧縮された空気３３の流入によって弁自体が振動し、音を発生するようにすることもできる。また、笛３１が滑動自在に設けられていることから、往路用の弁と、復路用の弁を設けて構成することにより、その弁に種類を変化させることによって、違う音を発生させることができる。このように笛３１を変更することによって、羊笛・牛笛・ママー笛・犬笛・ヒヨコ笛・バードベル・チャイムなどの様々な音を出すことできる。
【００２３】
遠心力が発生した場合の音発生部３０の動きを説明する。笛３１自体の自重によって、該笛３１は音発生部３０内を滑動する。笛自体の滑動により、音発生部３０内の空気３３は圧縮され、笛３１に設けられた孔３１ａに空気３３が流入し、笛３１より音を発生させるようになっている。
【００２４】
また、笛３１への遠心力がなくなると、笛３１への遠心力によって圧縮されていた圧縮バネ３２がその復元力によって笛３１を押し戻し、笛３１は、再び元の位置へと滑動する。この時に、笛３１の滑動によって、音発生部３０内の空気圧が減少する為に、再び笛３１に設けられた孔３１Ａに空気が流入し、音を発生させるようになっている。この一連の動きによって、圧縮バネ３２の収縮・膨張により、２度連続して音がなるようになっている。また、圧縮バネ３２の収縮時の音と、膨張時の音が異なるようになる。これは、笛３１内に流入する空気の圧力が、１回目の音の場合は、遠心力に強さによって、笛３１内に流入する空気圧が異なる為であるが、２回目の音は、圧縮バネ３２による復元力によって、笛３１内に流入する空気圧が決定する為に、２回目の音は、常に一定の音となるようになっている。また、２回の音は、ほぼ連続して発生するため一連の音と聞こえる。
【００２５】
図５で、応援用具の使用の流れを説明する。まず、図５（Ａ）で示すように、応援用具先端に設けられた蓋１５を開放する。図５（Ａ）の向きで、使用者はグリップ部を握り、図５（Ｃ）の向きになるように振るように使用する。使用者が振る直前の状態が図５（Ａ）であるが、この位置では、伸縮部２０は伸縮していない状態で、また、音発生部３０内の笛３１も圧縮バネ３２の力によって、端にある。
【００２６】
図５（Ｂ）は、使用者が振りはじめた状態である。この時に、伸縮部２０は、使用者は振りはじめたことによる遠心力によって、軸２１に固着した内側部を残し、伸縮部２０の外側が、軸方向へと伸びはじめる。また、同様に該遠心力によって、音発生部３０の笛３１が、他端方向へと滑動をはじめ、音発生部３０内の空気３３が圧縮され、音を発生させるようになる。
【００２７】
図５（Ｃ）は、使用者が、振り終わった状態である。この時に、伸縮部２０は、使用者が振ったことによる遠心力によって、最大に伸びた状態となる。また、音発生部３０内の笛３１は、音発生部３０内の他端側に、一旦停止した状態となる為に、音は発生しない。
【００２８】
振り終わった後は、再び、図５（Ｂ）、図５（Ａ）と推移し、元の位置に戻るようになっている。この時に、伸縮部２０は、タケノコバネと同様に、その復元力によって、元の形状へと復元する。また、音発生部３０では、遠心力を失った笛３１が、圧縮バネ３２の復元力によって元位置へと、滑動を始め、滑動する際に、音発生部３０内の空気３３が流入し、音を発生するようになり、圧縮バネ３２が復元を終えると、音発生も停止するようになっている。使用を終了する際には、再び、蓋１５を閉め伸縮部２０が伸びることを防ぐようにする。
【図面の簡単な説明】
【００２９】
【図１】本考案の一実施例である応援用具の外形を示す図である。
【図２】本考案の一実施例である応援用具の分解した斜視図面である。
【図３】本考案の一実施例である応援用具の中央で切断した断面図である。
【図４】本考案の一実施例である応援用具の蓋の回動抑止構造を示す図である。
【図５】本考案の一実施例である応援用具の使用時の応援用具の状態を示す断面図である。
【符号の説明】
【００３０】
１０    応援用具
１１    打球部
１１Ａ  開放部
１２    把持部
１３    グリップエンド部
１４    ヒンジ
１４Ａ  凸部
１５    蓋
１５Ａ  リブ
１６    音発生部カバー
２０    伸縮部
２１    軸
２２    巻紙
２３    固着板
２３Ａ  孔
３０    音発生部
３１    笛
３１Ａ  孔
３２    圧縮バネ
３３    空気
【図１】
0003105905.tif 000003
【図２】
0003105905.tif 000004
【図３】
0003105905.tif 000005
【図４】
0003105905.tif 000006
【図５】
0003105905.tif 000007